(57)【要約】【課題】ステレオセパレーション値の制御等のオーディオ信号に係る制御を直線によって制御すると、人の聴感特性に対して必ずしも最適ではなく、聴感上の音のふらつきやノイズ感が発生してしまう。【解決手段】制御信号検出部１８０は、ラジオ放送の受信信号を変換して得た信号から電界強度やマルチパス成分等の制御パラメータを検出する。制御部１９０は、制御信号検出部１８０において検出された制御パラメータに基づいて、オーディオ信号に係る制御に使用する音量ミュート制御信号Ｓ１９１、高周波成分ミュート制御信号Ｓ１９２、及びステレオセパレーション制御信号Ｓ１９３等の制御信号をｎ次関数カーブを用いて生成し、出力する。【選択図】図１
2012175450.tif 000002
【特許請求の範囲】
【請求項１】
ラジオ放送の受信信号を変換して得た信号から、前記受信信号の伝搬状態を示す制御パラメータを検出する制御信号検出部と、
前記制御パラメータに基づいて、オーディオ信号に係る制御に使用する制御信号をｎ次関数カーブを用いて生成し、出力する制御部とを備えている
ことを特徴とするラジオ特性改善装置。
【請求項２】
請求項１のラジオ特性改善装置において、
前記制御信号検出部は、前記制御パラメータとして、前記受信信号の電界強度を検出し、
前記制御部は、前記制御信号として、音量のミュートレベルを制御する音量ミュート制御信号を出力する
ことを特徴とするラジオ特性改善装置。
【請求項３】
請求項１のラジオ特性改善装置において、
前記制御信号検出部は、前記制御パラメータとして、前記受信信号の電界強度を検出し、
前記制御部は、前記制御信号として、高域周波数成分のミュートレベルを制御する高周波成分ミュート制御信号を出力する
ことを特徴とするラジオ特性改善装置。
【請求項４】
請求項１のラジオ特性改善装置において、
前記制御信号検出部は、前記制御パラメータとして、前記受信信号の電界強度を検出し、
前記制御部は、前記制御信号として、ステレオセパレーション値を制御するステレオセパレーション制御信号を出力する
ことを特徴とするラジオ特性改善装置。
【請求項５】
請求項１のラジオ特性改善装置において、
前記制御信号検出部は、前記制御パラメータとして、前記受信信号のマルチパス成分を検出し、
前記制御部は、前記制御信号として、音量のミュートレベルを制御する音量ミュート制御信号を出力する
ことを特徴とするラジオ特性改善装置。
【請求項６】
請求項１のラジオ特性改善装置において、
前記制御信号検出部は、前記制御パラメータとして、前記受信信号のマルチパス成分を検出し、
前記制御部は、前記制御信号として、高域周波数成分のミュートレベルを制御する高周波成分ミュート制御信号を出力する
ことを特徴とするラジオ特性改善装置。
【請求項７】
請求項１のラジオ特性改善装置において、
前記制御信号検出部は、前記制御パラメータとして、前記受信信号のマルチパス成分を検出し、
前記制御部は、前記制御信号として、ステレオセパレーション値を制御するステレオセパレーション制御信号を出力する
ことを特徴とするラジオ特性改善装置。
【請求項８】
請求項１のラジオ特性改善装置において、
前記制御部は、前記制御信号を、折れ線を用いて生成する機能を更に備えており、
前記ラジオ特性改善装置は、
前記制御部に、ｎ次関数カーブまたは折れ線のいずれを用いるかを指示する外部制御信号を出力する外部設定部を備えている
ことを特徴とするラジオ特性改善装置。
【発明の詳細な説明】
【技術分野】
【０００１】
本発明は、ラジオ受信特性を改善する技術に関するものである。
【背景技術】
【０００２】
ラジオ放送の電波を受信する際に、周囲の障害物等の影響から、その受信信号の電界強度が弱くなる（すなわち、弱電界になる）現象が生じる。このため、ラジオ放送の受信信号に係るステレオ成分にノイズが発生しやすくなる。この問題に対して、ステレオセパレーション値を用いてステレオ成分を削減し、オーディオ信号をモノラル化することにより、ノイズを低減させる技術が知られている。
【０００３】
例えば、特許文献１では、電界強度のレベルの変動に対して、ステレオセパレーション値を直線で制御するラジオ受信制御方法について開示されている。
【先行技術文献】
【特許文献】
【０００４】
【特許文献１】特開平１１−２９８４２６号公報
【発明の概要】
【発明が解決しようとする課題】
【０００５】
しかしながら、上記特許文献１のように、電界強度のレベル変動に対して、ステレオセパレーション値を直線を用いて生成した制御信号によって制御すると、人の聴感特性に対して必ずしも最適ではなく、滑らかなモノラル−ステレオ化が実現できず、聴感上の音のふらつきやノイズ感が発生してしまう。
【０００６】
本発明は、上記の点に鑑み、受信信号の伝搬状態に対するオーディオ信号に係る制御において、聴感上の音のふらつきやノイズ感を改善することを目的とする。
【課題を解決するための手段】
【０００７】
上記の課題を解決するため、本発明は、ラジオ放送の受信信号を変換して得た信号から、前記受信信号の伝搬状態を示す制御パラメータを検出する制御信号検出部と、前記制御パラメータに基づいて、オーディオ信号に係る制御に使用する制御信号をｎ次関数カーブを用いて生成し、出力する制御部とを備えていることを特徴とする。
【発明の効果】
【０００８】
本発明によれば、受信信号の伝搬状態を示す制御パラメータに基づいて、オーディオ信号に係る制御に使用する制御信号が、ｎ次関数カーブを用いて生成されるので、従来技術と比較して人の聴感特性に適した制御ができ、音のふらつきやノイズ感を改善することができる。また、ｎ次関数カーブは、加減算及び乗算のみによって構成することが可能であり、ＤＳＰ（Digital Signal Processor）による実装が容易である。
【図面の簡単な説明】
【０００９】
【図１】第１の実施形態に係るラジオ特性改善装置の構成例を示すブロック図である。
【図２】第２の実施形態に係るラジオ特性改善装置の構成例を示すブロック図である。
【図３】各実施形態のオーディオ信号に係る制御における入力信号（制御パラメータ）と出力信号（制御信号）との対応例を示す図である。
【発明を実施するための形態】
【００１０】
以下、本発明の実施形態について図面を参照しながら説明する。なお、以下の各実施形態の説明において、一度説明した構成要素と同様の機能を有する構成要素については、同一の符号を付して説明を省略する。
【００１１】
＜第１の実施形態＞
図１は第１の実施形態に係るラジオ特性改善装置の構成例を示す図である。図１のラジオ特性改善装置は、アンテナ１００、周波数変換部１１０、ＩＦ信号処理部１２０、復調部１３０、音量ミュート制御部１４０、高周波成分ミュート制御部１５０、ステレオセパレーション制御部１６０、スピーカ１７０、制御信号検出部１８０、及び制御部１９０を備えている。
【００１２】
アンテナ１００は、ラジオ放送の受信信号としての高周波信号Ｓ１００を受信する。
【００１３】
周波数変換部１１０は、アンテナ１００によって受信された高周波信号Ｓ１００をＩＦ（Intermediate Frequency）信号Ｓ１１０に変換して出力する。
【００１４】
ＩＦ信号処理部１２０は、周波数変換部１１０から出力されたＩＦ信号Ｓ１１０をＩＱ（In-Phase/Quadrature-Phase）信号Ｓ１２０に変換して出力する。
【００１５】
復調部１３０は、ＩＱ信号Ｓ１２０に対して復調を行うことにより、第１の中間オーディオ信号Ｓ１３０を出力する。
【００１６】
音量ミュート制御部１４０は、ノイズが発生しうる場合に有効となり、制御部１９０から与えられた音量ミュート制御信号Ｓ１９１に基づいて、第１の中間オーディオ信号Ｓ１３０の音量を制御し、第２の中間オーディオ信号Ｓ１４０を出力する。
【００１７】
高周波成分ミュート制御部１５０は、ノイズが発生しうる場合に有効となり、制御部１９０から与えられた高周波成分ミュート制御信号Ｓ１９２に基づいて、第２の中間オーディオ信号Ｓ１４０の高周波成分を制御し、第３の中間オーディオ信号Ｓ１５０を出力する。
【００１８】
ステレオセパレーション制御部１６０は、ノイズが発生しうる場合に有効となり、制御部１９０から与えられたステレオセパレーション制御信号Ｓ１９３に基づいて、第３の中間オーディオ信号Ｓ１５０に対してステレオセパレーション値の制御（すなわち、モノラル化）を実施し、最終オーディオ信号Ｓ１６０を出力する。
【００１９】
スピーカ１７０は、最終オーディオ信号Ｓ１６０を出音する。
【００２０】
制御信号検出部１８０は、電界強度算出部１８１、及びマルチパス成分検出部１８２を備えている。電界強度算出部１８１は、ＩＱ信号Ｓ１２０に対して振幅検出を行うことにより、高周波信号Ｓ１００の電界強度を示す電界強度信号Ｓ１８１を出力する。マルチパス成分検出部１８２は、ＩＱ信号Ｓ１２０に対して信号解析を行うことにより、高周波信号Ｓ１００のマルチパス成分の大きさを示すマルチパス成分信号Ｓ１８２を出力する。すなわち、本実施形態では、制御信号検出部１８０は、受信信号の伝搬状態を示す制御パラメータとして、受信信号の電界強度およびマルチパス成分を検出する。なお、他の制御パラメータを検出してもよい。
【００２１】
制御部１９０は、電界強度信号Ｓ１８１、またはマルチパス成分信号Ｓ１８２、あるいはその両方を入力信号として、例えば、第１の頂点座標を（ｘ１，ｙ１）、第２の任意の座標を（ｘ２，ｙ２）とした場合に、下式（１）、（２）において示すｎ次関数の演算を行い、オーディオ信号に係る制御に使用する制御信号を出力する。ここで、本実施形態では、制御信号として、音量ミュート制御信号Ｓ１９１、高周波成分ミュート制御信号Ｓ１９２、及びステレオセパレーション制御信号Ｓ１９３を出力するものとする（図３内点線参照）。なお、他の制御信号を出力してもよい。
【００２２】
出力信号  ＝  ａ×(入力信号−ｂ)＾ｎ＋ｃ    ・・・（１）
上式（１）において、ｎは演算に使用する関数の次数を示しており、ａ，ｂ及びｃには下式（２）によって算出した値を用いる。
【００２３】
ａ  ＝  （ｙ２−ｙ１）／｛（ｘ２−ｘ１）＾ｎ｝
ｂ  ＝  ｘ１
ｃ  ＝  ｙ１    ・・・（２）
なお、演算に使用する関数の次数ｎ、第１の頂点の座標（ｘ１，ｙ１）、及び第２の任意の座標（ｘ２，ｙ２）においては、外部から設定できるようにしてもよいし、あらかじめ登録した値を使用してもよい。
【００２４】
また、音量ミュート制御部１４０、高周波成分ミュート制御部１５０、及びステレオセパレーション制御部１６０のそれぞれの演算に対して使用する関数の次数ｎ、第１の頂点座標（ｘ１，ｙ１）、及び第２の任意の座標（ｘ２，ｙ２）においては同一の値を使用する必要はなく、各々に個別の値を使用してもよい。
【００２５】
ここで、例えば、制御部１９０は、高周波信号Ｓ１００の電界強度を示す電界強度信号Ｓ１８１があらかじめ設定された値より弱いことを示すとき、音量ミュートレベルを上げる、すなわち音量を下げる制御をする音量ミュート制御信号Ｓ１９１を上式（１）を用いて算出し、出力するようにしてもよい。その結果、聴感上の音のふらつきやノイズ感を改善することができる。
【００２６】
また、例えば、制御部１９０は、高周波信号Ｓ１００の電界強度を示す電界強度信号Ｓ１８１があらかじめ設定された値より弱いことを示すとき、高周波数成分のミュートレベルを上げる、すなわち高周波成分を抑える制御をする高周波成分ミュート制御信号Ｓ１９２を上式（１）を用いて算出し、出力するようにしてもよい。その結果、聴覚上耳障りである高域周波数成分のノイズを抑えることができ、聴感上の音のふらつきやノイズ感を改善することができる。
【００２７】
また、例えば、制御部１９０は、高周波信号Ｓ１００の電界強度を示す電界強度信号Ｓ１８１があらかじめ設定した値より弱いことを示すとき、ステレオセパレーション値を下げる制御をする、すなわちモノラル化を実施するステレオセパレーション制御信号Ｓ１９３を上式（１）を用いて算出し、出力するようにしてもよい。その結果、ステレオノイズを抑えることができ、聴感上の音のふらつきやノイズ感を改善することができる。
【００２８】
また、例えば、制御部１９０は、高周波信号Ｓ１００のマルチパス成分を示すマルチパス成分信号Ｓ１８２があらかじめ設定した値より大きいことを示すとき、音量ミュートレベルを上げる、すなわち音量を下げる制御をする音量ミュート制御信号Ｓ１９１を上式（１）を用いて算出し、出力するようにしてもよい。その結果、聴感上の音のふらつきやノイズ感を改善することができる。
【００２９】
また、例えば、制御部１９０は、高周波信号Ｓ１００のマルチパス成分を示すマルチパス成分信号Ｓ１８２があらかじめ設定した値より大きいことを示すとき、高周波数成分のミュートレベルを上げる、すなわち高周波成分を抑える制御をする高周波成分ミュート制御信号Ｓ１９２を上式（１）を用いて算出し、出力するようにしてもよい。その結果、聴覚上耳障りである高域周波数成分のノイズを抑えることができ、聴感上の音のふらつきやノイズ感を改善することができる。
【００３０】
また、例えば、制御部１９０は、高周波信号Ｓ１００のマルチパス成分を示すマルチパス成分信号Ｓ１８２があらかじめ設定した値より大きいことを示すとき、ステレオセパレーション値を下げる制御をする、すなわちモノラル化を実施するステレオセパレーション制御信号Ｓ１９３を上式（１）を用いて算出し、出力するようにしてもよい。その結果、ステレオノイズを抑えることができ、聴感上の音のふらつきやノイズ感を改善することができる。
【００３１】
以上のように、本実施形態によれば、ラジオ放送の受信信号に係る電界強度のレベル、及びマルチパス成分のレベル変動に対して、音量ミュート制御信号Ｓ１９１、高周波成分ミュート制御信号Ｓ１９２、及びステレオセパレーション制御信号Ｓ１９３をｎ次関数カーブを用いて生成した制御信号によって制御することにより、聴感上の音のふらつきやノイズ感を改善することが可能となる。
【００３２】
＜第２の実施形態＞
図２は第２の実施形態に係るラジオ特性改善装置の構成例を示す図である。本実施形態に係るラジオ特性改善装置は、制御部１９０Ａにおいて、電界強度信号Ｓ１８１、あるいはマルチパス成分信号Ｓ１８２を入力信号とし、音量ミュート制御信号Ｓ１９１、高周波成分ミュート制御信号Ｓ１９２、及びステレオセパレーション制御信号Ｓ１９３を直線（折れ線）を用いて算出し、出力する機能を更に備えている。また、制御部１９０Ａにｎ次関数カーブ、または直線（折れ線）を示す外部制御信号Ｓ２００を出力する外部設定部を備えている。
【００３３】
図３は、制御部１９０Ａにおいて、例えば、第１の頂点座標を（ｘ１，ｙ１）とし、第２の任意の座標を（ｘ２，ｙ２）とした場合に、電界強度信号Ｓ１８１、あるいはマルチパス成分信号Ｓ１８２の入力信号に対する、音量ミュート制御信号Ｓ１９１、高周波成分ミュート制御信号Ｓ１９２、及びステレオセパレーション制御信号Ｓ１９３の出力信号の信号対応例を図示したものである。図３において、ｎ次関数（上式（１））を用いた算出例を点線によって図示しており、折れ線を用いた算出例を実線によって図示している。
【００３４】
以上のように、本実施形態によれば、ラジオ放送の受信信号に係る電界強度のレベル、及びマルチパス成分のレベル変動に対して、音量ミュート制御信号Ｓ１９１、高周波成分ミュート制御信号Ｓ１９２、及びステレオセパレーション制御信号Ｓ１９３をｎ次関数カーブまたは直線（折れ線）から選択できるため、直線（折れ線）を用いて算出している従来のラジオ特性改善装置に係る機能の継承が可能となる。
【００３５】
＜その他の実施形態＞
なお、上記第１及び第２の実施形態では、音量ミュート制御部１４０、高周波成分ミュート制御部１５０、ステレオセパレーション制御部１６０の順にオーディオ信号に係る制御を実施する構成としたが、これに限らず、制御の順番は任意に設定ができる。例えば、ステレオセパレーション制御部１６０、高周波成分ミュート制御部１５０、音量ミュート制御部１４０の順番にオーディオ信号に係る制御を実施してもよい。
【産業上の利用可能性】
【００３６】
本発明に係るラジオ特性改善装置は、聴感上の音のふらつきやノイズ感を改善することが可能である。また、ｎ次関数カーブは、加減算及び乗算のみによって構成することが可能であり、ＤＳＰへの実装が容易である。これらの効果を有するため、ラジオ受信特性を改善するラジオ特性改善装置等として有用である。
【符号の説明】
【００３７】
１８０    制御信号検出部
１８１    電界強度算出部
１８２    マルチパス成分検出部
１９０，１９０Ａ    制御部
２００    外部設定部
Ｓ１００    高周波信号（受信信号）
Ｓ１８１    電界強度信号
Ｓ１８２    マルチパス成分信号
Ｓ１９１    音量ミュート制御信号
Ｓ１９２    高周波成分ミュート制御信号
Ｓ１９３    ステレオセパレーション制御信号
Ｓ２００    外部制御信号
【図１】
2012175450.tif 000003
【図２】
2012175450.tif 000004
【図３】
2012175450.tif 000005